(57)【要約】【課題】  本発明は、フェムトセル・ネットワークを用いる通信の効率化又は強化を促進するため、ユニバーサル移動通信システム（ＵＭＴＳ）地上無線ネットワーク（ＵＴＲＡＮ）の特徴を活用できるシステムを提供することを目的とする。【解決手段】  ＵＴＲＡＮの各種特徴とともに、ＵＭＴＳ局所化共通パイロット・チャネルのような特徴は、マクロ・ネットワーク負荷を低減しつつ、特定のホーム・ノードＢ（ＨＮＢ）、又はＨＮＢによってサービス提供される特定のモバイル・デバイスのような特定のターゲットに通信を向けることができる。【選択図】  図１
2014239543.tif 000002
【特許請求の範囲】
【請求項１】
システムであって、
コンピュータにより実行可能な複数の命令を格納するメモリと、
該メモリに接続され、コンピュータにより実行可能な該複数の命令の実行を促して、複数の動作を実行するプロセッサとを含み、該複数の動作が、
ユニバーサル移動通信システム（ＵＭＴＳ）局所化共通パイロット・チャネルを用いるホーム・ノードＢデバイスのセットとのインターフェースをとる動作と、
複数のターゲットＩＤを該ホーム・ノードＢデバイスのセットに割り当てる動作と、
１つのターゲットＩＤを含むメッセージを受信する動作であって、該１つのターゲットＩＤは、該ホーム・ノードＢデバイスのセットに含まれるホーム・ノードＢデバイスのサブセットを識別する、動作と、
該１つのターゲットＩＤによって識別されたホーム・ノードＢデバイスの該サブセットに対する該メッセージの送信を促進する動作とを含む、システム。
【請求項２】
請求項１に記載のシステムにおいて、
該１つのターゲットＩＤは、ＵＭＴＳ地上無線アクセス・ネットワーク（ＵＴＲＡＮ）サービス・エリア識別子（ＳＡＩ）である、システム。
【請求項３】
請求項２に記載のシステムにおいて、
該ＳＡＩは、該ホーム・ノードＢデバイスの該サブセットの単一のホーム・ノードＢデバイスに関連する識別子を表し、該メッセージは、該単一のホーム・ノードＢデバイスのサブセットに対して送信される、システム。
【請求項４】
請求項２に記載のシステムにおいて、
該ＳＡＩは、該ホーム・ノードＢデバイスの該サブセットの複数のホーム・ノードＢデバイスに関連する一意のグループ識別子を表し、該メッセージは、該複数のホーム・ノードＢデバイスに送信される、システム。
【請求項５】
請求項４に記載のシステムにおいて、
該サブセットの複数のホーム・ノードＢデバイスは、それぞれの追加のＳＡＩにさらに関連する、システム。
【請求項６】
請求項１に記載のシステムにおいて、
該１つのターゲットＩＤは、論理ルーティング・エリアに含まれる複数のホーム・ノードＢデバイスに関連するＵＴＲＡＮルーティング・エリア（ＵＲＡ）ＩＤである、システム。
【請求項７】
請求項１に記載のシステムにおいて、
該１つのターゲットＩＤは、ＵＴＲＡＮルーティング・エリア（ＵＲＡ）ページング・チャネルが有効である該ホーム・ノードＢデバイスの該サブセットの単一のホーム・ノードＢデバイスに関連するＵＲＡ  ＩＤである、システム。
【請求項８】
請求項１に記載のシステムにおいて、
該１つのターゲットＩＤは、該ホーム・ノードＢデバイスの該サブセットと関連する共通ｚｉｐコードに基づいて割り当てられる、システム。
【請求項９】
請求項１に記載のシステムにおいて、
該１つのターゲットＩＤは、共通の商取引関係又はサービスに加入している複数の加入者と関連している該ホーム・ノードＢデバイスのサブセットに基づいて割り当てられる、システム。
【請求項１０】
請求項１に記載のシステムにおいて、
該１つのターゲットＩＤは、共通のニュース又は天気のカバレージ・エリア内に位置する該ホーム・ノードＢデバイスのサブセットに基づいて割り当てられる、システム。
【請求項１１】
請求項１に記載のシステムにおいて、
該１つのターゲットＩＤは、共通のコミュニティ又はゾーニングのエリア内に位置する該ホーム・ノードＢデバイスのサブセットに基づいて割り当てられる、システム。
【請求項１２】
請求項１に記載のシステムにおいて、
該１つのターゲットＩＤは、共通のユーティリティ・プロバイダによりサービス提供される複数の加入者と関連している該ホーム・ノードＢデバイスのサブセットに基づいて割り当てられる、システム。
【請求項１３】
請求項１に記載のシステムにおいて、
該メッセージは、該ホーム・ノードＢデバイスのサブセットに含まれる１つのホーム・ノードＢデバイスによってサービス提供される１つの無線通信デバイスを識別するユーザ機器（ＵＥ）ＩＤをさらに含む、システム。
【請求項１４】
方法であって、
１つのプロセッサを含むシステムによって、ユニバーサル移動通信システム（ＵＭＴＳ）局所化共通パイロット・チャネルを用いるホーム・ノードＢデバイスのセットと通信するステップと、
該１つのプロセッサを含むシステムによって、複数のターゲットＩＤを該ホーム・ノードＢデバイスのセットに割り当てるステップと、
該１つのプロセッサを含むシステムによって、１つのターゲットＩＤを含むメッセージを受信するステップであって、該１つのターゲットＩＤは、該ホーム・ノードＢデバイスのセットに含まれるホーム・ノードＢデバイスのサブセットを識別する、ステップと、
該１つのプロセッサを含むシステムによって、該１つのターゲットＩＤによって識別されたホーム・ノードＢデバイスの該サブセットに対する該メッセージを転送するステップとを含む、方法。
【請求項１５】
請求項１４に記載の方法において、
該１つのターゲットＩＤは、該ホーム・ノードＢデバイスの該サブセットと関連する共通ｚｉｐコードに基づいて割り当てられる、方法。
【請求項１６】
請求項１４に記載の方法において、
該１つのターゲットＩＤは、共通の商取引関係又はサービスに加入している複数の加入者と関連している該ホーム・ノードＢデバイスのサブセットに基づいて割り当てられる、方法。
【請求項１７】
請求項１４に記載の方法において、
該１つのターゲットＩＤは、共通のニュース又は天気のカバレージ・エリア内に位置する該ホーム・ノードＢデバイスのサブセットに基づいて割り当てられる、方法。
【請求項１８】
請求項１４に記載の方法において、
該１つのターゲットＩＤは、共通のコミュニティ又はゾーニングのエリア内に位置する該ホーム・ノードＢデバイスのサブセットに基づいて割り当てられる、方法。
【請求項１９】
請求項１４に記載の方法において、
該１つのターゲットＩＤは、共通のユーティリティ・プロバイダによりサービス提供される複数の加入者と関連している該ホーム・ノードＢデバイスのサブセットに基づいて割り当てられる、方法。
【請求項２０】
請求項１４に記載の方法において、
該メッセージは、該ホーム・ノードＢデバイスのサブセットに含まれる１つのホーム・ノードＢデバイスによってサービス提供される１つの無線通信デバイスを識別するユーザ機器（ＵＥ）ＩＤをさらに含む、方法。
【発明の詳細な説明】
【技術分野】
【０００１】
関連出願の相互参照
本出願は、２００９年９月１６日に出願された「ＴＡＲＧＥＴＩＮＧ  ＣＯＭＭＵＮＩＣＡＴＩＯＮＳ  ＩＮ  Ａ  ＦＥＭＴＯＣＥＬＬ  ＮＥＴＷＯＲＫ」と題する特許出願第１２／５６０，６７０号の利益を主張する。上記出願の全体が、参照により本明細書に組み込まれる。
【０００２】
本出願は、一般には、ユニバーサル移動通信システム（ＵＭＴＳ）地上無線アクセス・ネットワーク（ＵＴＲＡＮ）に関し、より具体的には、マクロ・ネットワーク・リソース利用を低減しつつ、ＵＴＲＡＮネットワーク内の特定の受信者に通信を向けることに関する。
【背景技術】
【０００３】
モバイル・デバイス（例：ユーザ機器（ＵＥ））にサービスを提供する従来型のマクロ・ネットワーク・プラットフォームは、通信サービスを提供しているときにＵＥの移動性に対処しなければならない。従来から、特定のＵＥ向けのメッセージは広域にブロードキャストされなければならず、それによりマクロ・ネットワークの周囲ノードはすべて、重複情報をブロードキャストして、予定受信者のＵＥが所与の時間にどこにあっても予定受信者が通信を受信できるようにしている。リソース利用の点で、こうしたおびただしいブロードキャストは、非常に非効率的であるが、それでも、広域で高度の移動性を維持することを受信者ＵＥが期待している可能性がある場合にはしばしば発生する。
【０００４】
マクロ・ネットワークとは対照的に、フェムトセル・ネットワーク・プラットフォームは、様々なノード又はフェムトセル（例：ホーム・ノードＢ（ＨＮＢ））に依存する。ＨＮＢは有線ブロードキャスト・ネットワークとのインターフェースをとる建物ベースの無線アクセス・ポイントである。ＨＮＢは、屋内無線カバレージを改善し、無線ネットワークおよびサービス・プロバイダによって運営されるモビリティ無線アクセス・ネットワーク（ＲＡＮ）をオフロードするために一般に配備される。したがって、ＨＮＢデバイスのカバレージは、居住用又は商業用の建物などの屋内区域の境界内にほぼ制限されることを一般に意図している。
【０００５】
残念ながら、今日の通信システム、すなわち、広域にわたるカバレージのためのマクロ・ネットワーク・サービスと、自宅やオフィスの中で使用するためのフェムトセル・ネットワークの両方を加入者に提供する通信システムは、一般にフェムトセル・ネットワークをマクロ・ネットワークのサブネットワークとして扱い、そのため通信を実質的に同じ方法で処理する。携帯電話又は他のＵＥとは異なり、ＨＮＢは通常は位置を変えず、特定の知られた位置にとどまるため、こうした扱いは残念である。
【発明の概要】
【課題を解決するための手段】
【０００６】
以下では、開示する主題のいくつかの態様の基本的な理解をもたらすために、開示する主題の簡略な概要を示す。本概要は、開示する主題の包括的な大要ではない。開示する主題の主要な又は重要な要素を特定することも、開示する主題の範囲を定めることも意図していない。唯一の目的は、以下に提示するより詳細な説明の前置きとして、開示する主題のいくつかの概念を簡略な形で提示することである。
【０００７】
本明細書で開示する主題は、その１つの態様において、フェムトセル・ネットワークによる通信の効率化又は強化を促進するため、ユニバーサル移動通信システム（ＵＭＴＳ）地上無線アクセス・ネットワーク（ＵＴＲＡＮ）の特徴を活用できるアーキテクチャを含む。特に、アーキテクチャは、フェムトセル・ネットワーク内のホームノードＢ（ＨＮＢ）デバイスが比較的静的な状態にとどまっていること、および通信の専用チャネルとして動作可能なＵＭＴＳ局所化共通パイロット・チャネルの可用性を今日のＨＮＢデバイスがしばしば提供することを活用できる。ＵＴＲＡＮの様々な他の特徴を活用して、従来型のフェムトセル通信に対するいくつかの利点を提供することもできる。
【０００８】
これに従い、かつ他の関連する目的を達成するために、アーキテクチャは、ＵＭＴＳ局所化共通パイロット・チャネルを用いるＨＮＢデバイスのセットとのインターフェースをとるように構成され得る。ＨＮＢデバイスのこのセットは、ＵＴＲＡＮネットワークの全部又は一部を表すことができる。アーキテクチャはまた、メッセージング・センター又はホスト通信ネットワークの別の適切な要素から発生するか、これらによって転送されるメッセージを受信するように構成され得る。メッセージは、ＨＮＢデバイスのセットに含まれるＨＮＢデバイスのサブセットを識別するターゲットＩＤを含むことができる。本質的に、ＨＮＢデバイスのこのサブセットは、セットに含まれるＨＮＢデバイスのうちの１つ又は複数を構成することができ、さらに、ターゲットＩＤが示すように、メッセージの（１人又は複数の）予定受信者として特に識別される。
【０００９】
したがって、アーキテクチャは、ターゲットＩＤによって識別されるＨＮＢデバイスのサブセットのみに対するメッセージの全部又は一部の送信を促進することができる。換言すれば、マクロ・ネットワーク・レベルでもフェムトセル・ネットワーク・レベルでも、周囲ノードＢがメッセージを複製して送信する必要はない。むしろメッセージは、所望の実質的にすべての基準を占める論理的割り当てに基づき、単一のＨＮＢデバイス又はＨＮＢデバイスの集合のみを特にターゲットにし、配信先とすることができる。かかるターゲット・メッセージングは、自宅／オフィスのユーティリティ管理、又は実質的にすべての他の適切な目的に関連して用いることができる。
【００１０】
以下の説明および添付の図面では、開示する主題の特定の例示的な態様を詳細に示す。ただし、こうした態様は、開示する主題の原理を利用できる様々な方法のほんの数例を示しているに過ぎず、開示する主題は、かかる態様およびその均等物のすべてを含むことを意図している。開示する主題の他の利点および特徴は、開示する主題の以下の詳細な説明から、図面と併せて考察されると明らかになるであろう。
【図面の簡単な説明】
【００１１】
【図１】フェムトセル・ネットワークによる通信の効率化又は強化を促進するため、ユニバーサル移動通信システム（ＵＭＴＳ）地上無線ネットワーク（ＵＴＲＡＮ）の特徴を活用できるシステムのブロック図である。
【図２】フェムトセル・ネットワークによる通信に関連する追加の特徴、態様又は詳細を示すシステムのブロック図である。
【図３Ａ】ＳＡＩ又はＵＲＡ  ＩＤをターゲットＩＤとして割り振ることができるシステムのブロック図である。
【図３Ｂ】ターゲットＩＤの割り当ての例示的な基準を示すブロック図である。
【図４】さらなる登録発振（ｒｅｇｉｓｔｒａｔｉｏｎ  ｏｓｃｉｌｌａｔｉｏｎｓ）の軽減および／又はシステム間メッセージングの低減に対する応答要求を用いることができるシステムのブロック図である。
【図５】通信の効率化又は強化を促進できるＨＮＢデバイスを含むシステムのブロック図である。
【図６】通信の効率化又は強化を促進できるＨＮＢデバイスに関連する追加の特徴又は態様を提供するシステムのブロック図である。
【図７】フェムトセル・ネットワークによる通信の効率化又は強化を促進するため、ユニバーサル移動通信システム（ＵＭＴＳ）地上無線アクセス・ネットワーク（ＵＴＲＡＮ）の特徴を活用するための方法を定める手順の例示的な流れ図である。
【図８】ターゲットＩＤに関連するＳＡＩ又はＵＲＡ  ＩＤを用い、特定のＵＥをターゲットにするための方法を定める手順の例示的な流れ図である。
【図９】ターゲットＩＤをＨＮＢモジュールに割り振り、かつ／又は応答を用いてシステムの負荷をさらに軽減するための方法を定める手順の例示的な流れ図である。
【図１０】本明細書で説明する態様に従い、フェムトセル企業ネットワークの動作を有効にすることができる関連構成要素を伴う例示的な無線通信環境を示す図である。
【図１１】本明細書の態様に従った無線カバレージにおけるマクロセルおよびフェムトセルの概略的な配置を示す図である。
【発明を実施するための形態】
【００１２】
ここで、図面を参照して開示する主題について説明する。図中、同じ参照番号は全体を通じて同じ要素を指すために使用される。以下の記述では、説明の目的で、開示する主題の完全な理解をもたらすために多数の具体的な詳細を示す。ただし、こうした具体的な詳細なしでも開示する主題を実施できることが明らかであろう。他のケースでは、開示する主題の説明を容易にするために、周知の構造およびデバイスをブロック図の形で示している。
【００１３】
本明細書で使用する、「システム」、「プラットフォーム」、「構成要素」、「サービス」、「フレームワーク」、「インターフェース」、「ドライバ」、「ティア」、「層」、「ノード」などの用語は、コンピュータ関連のエンティティ、又は１つもしくは複数の特定の機能を備えた作動機械に関係するエンティティを指すことを意図している。本明細書で開示されるエンティティは、ハードウェア、ハードウェアとソフトウェアとの組み合わせ、ソフトウェア又は実行中のソフトウェアのいずれかであり得る。例えば、構成要素は、プロセッサで実行中のプロセス、プロセッサ、オブジェクト、実行ファイル、実行スレッド、プログラムおよび／又はコンピュータであってよいが、これらに限定されない。例えば、サーバで実行中のアプリケーションおよびサーバの両方が構成要素であってよい。１つ又は複数の構成要素が１つのプロセスおよび／又は実行スレッドの中に存在してよく、１つの構成要素を１台のコンピュータに配置すること、および／又は２台以上のコンピュータ間に分散することができる。これらの構成要素は、様々なデータ構造を保存している様々なコンピュータ可読媒体から実行することもできる。この構成要素は、１つ又は複数のデータ・パケットを有する信号に従うなどしてローカル処理および／又はリモート処理により通信することができる（例：信号によりローカル・システム、分散システムにおいて別の構成要素と、かつ／又は他のシステムとインターネットなどのネットワークにわたって交信する１つの構成要素からのデータ）。別の例では、構成要素は、プロセッサによって実行される（１つ又は複数の）ソフトウェア又はムウェア・アプリケーションによって動作する電気回路又は電子回路によって動作する機械部分によって提供される特定の機能を備える装置であってよく、プロセッサは装置の内部又は外部に存在し、ソフトウェア又はファームウェア・アプリケーションの少なくとも一部を実行する。さらに別の例では、構成要素は、機械部分のない電子構成要素を通じて特定の機能を提供する装置であってよく、電子構成要素は、電子構成要素の機能を少なくとも部分的に付与するソフトウェア又はファームウェアを実行するプロセッサをその中に含むことができる。インターフェースは、入力／出力（Ｉ／Ｏ）構成要素のほか、関連プロセッサ、アプリケーションおよび／又はＡＰＩ構成要素を含むことができる。
【００１４】
さらに、開示する主題は、開示する主題を実施するコンピュータを制御するソフトウェア、ファームウェア、ハードウェア、又はこれらの任意の組み合わせをもたらす標準的なプログラミングおよび／又はエンジニアリング技法を用いた方法、装置又は製造物として実行することができる。本明細書で使用する「製造物」という用語は、コンピュータ可読のデバイス、キャリア又は媒体からアクセスできるコンピュータ・プログラムを包含することを意図している。例えば、コンピュータ可読媒体は、磁気記憶デバイス（例：ハードディスク、フロッピー・ディスク、磁気ストリップ．．．）、光ディスク（例：コンパクト・ディスク（ＣＤ）、デジタル多目的ディスク（ＤＶＤ）．．．）、スマートカード、フラッシュ・メモリ・デバイス（例：カード、スティック、キードライブ．．．）を含むことができるが、これらに限定されない。さらに、搬送波を用いて、電子メールの送受信又はインターネットもしくはローカル・エリア・ネットワーク（ＬＡＮ）などのネットワークへのアクセスで使用されるもののようなコンピュータ可読電子データを搬送できることを了解されたい。もちろん、当業者には、開示する主題の範囲又は趣旨から離れることなく、この構成に多くの修正を加えることができることが分かるだろう。
【００１５】
また、「例示的」という用語は、１つの例、ケース又は具体例としての役割を果たすことを意味するように本明細書において使用される。「例示的」なものとして本明細書で説明するいかなる態様又は設計も、必ずしも他の態様又は設計より好ましい、又は有利であると解釈されるべきものではない。むしろ、例示的という用語の使用は、具体的な形で概念を提示することを意図している。本明細書で使用する用語「又は（もしくは）」は、排他的な「又は（もしくは）」ではなく包含的な「又は（もしくは）」を意味することを意図している。すなわち、別途明記されていない限り、又は文脈から明らかでない限り、「ＸはＡ又はＢを利用する」は、自然な包含的順列のいずれかを意味することを意図している。すなわち、ＸがＡを利用する場合、ＸがＢを利用する場合、又はＸがＡとＢの両方を利用する場合、「ＸはＡ又はＢを利用する」は該のケースのいずれにおいても適合する。また、本明細書および添付の特許請求の範囲で使用される冠詞「ａ」および「ａｎ」は、別途明記されていない限り、又は単数形を指すことが文脈から明らかでない限り、一般に「１つ又は複数の」を意味すると解釈すべきである。
【００１６】
さらに、「ユーザ機器」、「移動局」、「モバイル」、「加入者局」、「アクセス端末」、「端末」、「ハンドセット」のような用語および類似の用語は、無線通信サービスの加入者又はユーザがデータ、コントロール、音声、ビデオ、音響、ゲーム、又はほぼすべてのデータ・ストリームもしくは信号ストリームを受信又は送信するために利用する無線デバイスを指す。上記の用語は、本明細書および関連の図面において互換的に使用される。同様に、「アクセス・ポイント」、「基地局」、「フェムトセル」、「ホーム・ノードＢ（ＨＮＢ）」などの用語は、本出願において互換的に使用され、一連の加入者局との間でデータ、コントロール、音声、ビデオ、音響、ゲーム、又はほぼすべてのデータ・ストリームもしくは信号ストリームを送受信する無線ネットワーク構成要素又は機器を指す。データ・ストリームおよび信号ストリームはパケット化された、又はフレーム・ベースのフローであり得る。本明細書および図面において、屋外環境でモバイル・デバイスとの間でデータを送受信するアクセス・ポイント又は基地局、および屋外のカバレージ・エリア内にある制限された、主に屋内環境で動作するアクセス・ポイント又は基地局に関して、文脈又は明示的な区別が識別をもたらすことが認められる。データ・ストリームおよび信号ストリームはパケット化された、又はフレーム・ベースのフローであり得る。
【００１７】
さらに、「ユーザ」、「加入者」、「顧客」、「消費者」などの用語は、文脈がこれらの用語間の特定の（１つ又は複数の）区別を正当化するものでない限り、本明細書を通じて互換的に使用される。かかる用語は、人間又はシミュレートされた視覚、音響認識などが可能な人工知能（例：複雑な数学的形式に基づき推論を行う能力）によってサポートされる自動化された構成要素を指す場合があることを了解されたい。
【００１８】
加えて、「無線ネットワーク」および「ネットワーク」という用語は、本明細書において互換的に使用され、かかる用語が使用される文脈が明確化のための区別を正当化するものである場合、かかる区別が明示される。
【００１９】
ここで図面を参照し、最初に図１を参照すると、フェムトセル・ネットワークを用いる通信の効率化又は強化を促進するため、ユニバーサル移動通信システム（ＵＭＴＳ）地上無線ネットワーク（ＵＴＲＡＮ）の特徴を活用できるシステム１００が示されている。一般にシステム１００は、フェムトセル・ネットワークおよび／又はフェムトセル・ネットワークのためのオペレーティング・サポート・システム（ＯＳＳ）で実施するか、これらに結合することができる。いずれにせよ、システム１００は、インターフェース構成要素１０２を含むことができる。インターフェース構成要素１０２は、ＵＭＴＳ局所化共通パイロット・チャネル１０６を用いるホーム・ノードＢ（ＨＮＢ）デバイスのセット１０４とのインターフェースをとるように構成され得る。１つ又は複数の態様では、セット１０４はＵＴＲＡＮネットワーク内で動作するＨＮＢデバイスの全部又は一部を含むことができる。
【００２０】
明らかに、ＵＭＴＳ局所化共通パイロット・チャネル１０６は、無線通信システムにおける多数の利点を促進することができる関連ＨＮＢの専用信号として動作することができる。例えば、ＨＮＢデバイス（例：フェムトセル）は、屋内ネットワーク・カバレージを提供又は強化することができ、そのため通常は、ネットワーク加入者の自宅又はオフィスなど静的位置にとどまる。したがって、携帯電話又はハンドセットなどのユーザ機器（ＵＥ）は本来であれば絶えず位置を変えるが、かかるＵＥが特定のＨＮＢによってサービスを提供されている間、当該ＵＥの位置は確立され、パイロット・チャネル１０６によって提供される専用信号を活用して通信の効率化を促進することができ、これについて本明細書でさらに詳しく述べる。
【００２１】
それに従い、システム１００はまた、メッセージ１１０を受信できる受信構成要素１０８を含むことができる。メッセージ１１０は、無線ネットワークに関連するメッセージング・センター（不図示）から発生するか、メッセージング・センターによって転送されることがある。いずれにせよ、メッセージ１１０はターゲットＩＤ１１２を含むことができ、ターゲットＩＤ１１２は、ＨＮＢデバイスのセット１０４に含まれるＨＮＢデバイスのサブセット１１４を識別することができる。換言すれば、セット１０４に含まれるすべてのＨＮＢデバイスの中から、１つ又は複数のＨＮＢデバイスである一定のサブセット（例：サブセット１１４）がターゲットＩＤ１１２によって識別され得る。加えて、システム１００は、ターゲットＩＤ１１２によって識別されるＨＮＢデバイスのサブセット１１４のみに対するメッセージ１１０の送信を促進できるフィルタ構成要素１１６をさらに含むことができる。例えば、ターゲットＩＤ１１２によって識別されていないＨＮＢデバイスがターゲット・リストからフィルタ処理されると、フィルタ構成要素１１６は、例えば、インターフェース構成要素１０２を用いて、サブセット１１４に含まれるＨＮＢデバイスに対して、かつ当該ＨＮＢデバイスに対してのみ、メッセージ１１０（又は適切なコンテンツもしくは部分）を送信することができる。
【００２２】
したがって、特定のグループ、さらには個々のネットワーク加入者をネットワーク・トラフィックが明確にターゲットにすることができ、これは、おびただしいブロードキャストが特定の加入者に到達する必要がないため、一層効率的であり得る。特に、従来型のシステムが通常必要とするような他のネットワーク・リソースに対する余分の又は過度の負荷なしに、通信（例：メッセージ１１０）は指定されたＨＮＢデバイス（例：サブセット１１４）に配信され得る。例えば、関連ＵＴＲＡＮネットワークにおいて、おびただしいブロードキャストを回避することができる。同様に、ノードＢ又は無線ネットワーク・コントローラ（ＲＮＣ）のような関連マクロ・ネットワーク（例：マクロ・ネットワーク１１８）のＲＡＮリソースを不必要に利用する必要はない。これは、メッセージ１１０が関連メッセージング・センター（例：ショート・メッセージ・サービス（ＳＭＳ））のようなシステム間で発生するか、第三者ネットワーク１２０のような異なるソースから発生し、次いで（１人又は複数の）予定受信者への配信のためホスト・ネットワークに転送されるかを問わず、当てはまる。
【００２３】
したがって、マクロセルＵＭＴＳネットワーク又は関連フェムトセル・ネットワークでこれまで可能であったよりも高度な細分性を達成することができる。さらに、リソース利用に関する節約およびより頑強な細分性をもたらすことに加えて、上記の技法は、本質的に一層安全であり得る。例えば、メッセージ１１０（又は他の通信）の配信は、予定受信者又は許可された受信者に総じて限定されることになるため、任意の種類のメッセージ１１０を予定されていない受信者が目にすることが通常はほとんど又は全くない。
【００２４】
本明細書で説明する特徴のさらなる利点は、システム間の登録発振が回避され得ることである。例えば、従来型のフェムトセル・ネットワークにおける１つの問題は、特定のＨＮＢデバイスによってサービス提供されるモバイルＵＥが、例えば自宅又はオフィスで、ＨＮＢのカバレージ・エリア内に実質的に存在する間でさえ、広域カバレージを提供するマクロ・ネットワークへの再選択をしばしば試みることである。このように試みられる再選択は、フェムトセル・ネットワークとマクロ・ネットワークとの間で「切り替える」ことができる。さらに、ＵＥが一方又は他方のネットワークへの登録を試みている間のかかる登録発振中に、ＵＥは一般に、ＵＥが予定受信者となっている通信を受信することができない。しかし、知られている位置で指定リソースを利用することにより、フェムトセル・ネットワークから抜け出る（ｓｅｌｅｃｔ  ｏｕｔ  ｏｆ）こと、および／又はマクロ・ネットワークに目を向けることを試みる必要がない。こうして、登録発振は大幅に軽減され得る。
【００２５】
加えて、本明細書で説明する利点の多く又は全部は、追加のハードウェア又は他の費用のかかる手段を必要とせずに達成可能であることを了解されたい。むしろ、本明細書で詳述する特徴および／又はソリューションは、大幅な修正を加えることなく既存の通信プラットフォームで実施できる。
【００２６】
ここで図２を参照すると、システム２００は、フェムトセル・ネットワークを用いる通信に関係する追加の特徴、態様又は詳細を示している。システム２００は、上記でほぼ説明したＨＮＢデバイスのセット１０４とのインターフェースをとるように構成可能なインターフェース構成要素１０２を含むことができる。ただし、ここで図示されているのは、ＨＮＢデバイス１１４１〜１１４Ｎであり、これらは全体的なセット１０４ではなくサブセット１１４に含まれるＨＮＢデバイスのみであることが意図されている。換言すれば、ターゲットＩＤ１１２が示すＨＮＢデバイスのみである。したがって、４つの別個のＨＮＢデバイスが図示されているが、Ｎは実質的にどんな正の整数であってもよいことを了解されたい。よって、サブセット１１４は単一のＨＮＢデバイス又は複数のＨＮＢデバイスから構成され得る。
【００２７】
図１のシステム１００の場合のように、システム２００も、ターゲットＩＤ１１２を含むメッセージ１１０を受信できる受信構成要素１０８を含むことができ、ターゲットＩＤは、メッセージ１１０の宛先として予定されている特定の（１つ又は複数の）ＨＮＢデバイスを識別する。メッセージ１１０は、例えば公益事業会社もしくはサービス・プロバイダのような第三者ネットワーク１２０から、又はフェムトセル・ネットワークおよび／もしくはマクロセルセル・ネットワーク１１８を提供もしくは維持するホスト通信プラットフォーム用のメッセージ・センターのようなシステム間ネットワーク２０６から、発生し得る。
【００２８】
加えて、システム２００は、上記でほぼ説明したフィルタ構成要素１１６をさらに含むことができる。特に、フィルタ構成要素１１６は、ターゲットＩＤ１１２に基づきメッセージ１１０の（１人又は複数の）予定受信者を識別し、インターフェース構成要素１０２を用いてこうした（１人又は複数の）予定受信者に対してのみメッセージ１１０を伝搬することができる。
【００２９】
開示する主題の１つ又は複数の態様では、ターゲットＩＤ１１２は、ＵＴＲＡＮサービス・エリア識別子（ＳＡＩ）であってよく、これは「ケース１」として示されており、参照番号２０２によって表示されている。ＳＡＩは、３ＧＰＰ技術仕様で定義されており、これは、統一通信規格を提供する。２００９年６月の３ＧＰＰ技術仕様は、ｈｔｔｐ、コロン、スラッシュ、スラッシュ、ｗｗｗ、ドット、３ｇｐｐ、ドット、ｏｒｇ、スラッシュの仕様で確認することができ、参照により本明細書に組み込まれる。手短に言えば、ＳＡＩは個々のＨＮＢ又はサイトの値又は局所化セルＩＤを表す。したがって、開示する主題に関係して、ＳＡＩは、単一のＨＮＢデバイスに関連する識別子を表すことができる。その場合、フィルタ構成要素１１６は、単一のＨＮＢデバイスに対してのみメッセージ１１０を（例：インターフェース構成要素１０２を介して）送信することを促進することができる。必然的に、この場合には、ターゲットＩＤ１１２によって識別されるＨＮＢデバイスのサブセット１１４は、単一のＨＮＢデバイスである。
【００３０】
明らかに、ＳＡＩの割り当てはＵＴＲＡＮシステム内で処理可能であり、これについては図３Ａおよび図３Ｂに関係してさらに詳述する。以上により、セット１０４に含まれるあらゆるＨＮＢデバイスに、１つ又は複数の一意識別子を割り当てることができることを理解されたい。よって、サブセット１１４（例：セット１０４のサブセット）に含まれる各ＨＮＢデバイスは、関連する単一のＨＮＢデバイスを識別する１つ又は複数の一意識別子を割り当てられ、これはＨＮＢデバイス１１４１〜１１４Ｎの単一識別子１（ＳＩＤ１）、単一識別子２（ＳＩＤ２）などとして示され、ＨＮＢデバイス１１４１〜１１４３の各々は複数のＳＩＤを有する（この場合、ＳＩＤ１およびＳＩＤ２以外も存在し得る）のに対し、ＨＮＢデバイス１１４Ｎはたった１つのＳＩＤ（この場合、ＳＩＤ１）を有する。
【００３１】
したがって、例えば、ターゲットＩＤ１１２が「１２３４」又は「９８７６」に等しいＳＡＩを表す場合、フィルタ構成要素１１６は、インターフェース構成要素１０２がＨＮＢデバイス１１４１に対してのみメッセージ１１０を送信することを確実にすることができる。同様に、ターゲットＩＤ１１２が値「１２３５」又は「９８７７」に等しいＳＡＩを表す場合、メッセージ１１０はＨＮＢデバイス１１４２のみに配信できる、といった具合である。「１２３４」のような４桁の十進法による数字は、説明のためにのみ選択されており、実際のＳＡＩ値は、望まれる実質的にあらゆるフォーマットで、かつ／又は３ＧＰＰ規格に準拠して表すことができることを了解されたい。
【００３２】
さらに、ＵＴＲＡＮシステムがＳＡＩの割り当てを処理できることから、かかる識別子は所望の任意のスキームに従って論理的に割り当てることができる。したがって、ＳＡＩはグループ識別子として指定され得るが、３ＧＰＰ仕様は必ずしもこうした使用を想定してはいない。よって、１つ又は複数の一意のグループ識別子が、望まれる実質的に任意の論理グルーピング割り当てに従い、ＧＩＤ１、ＧＩＤ２（さらなるＧＩＤが存在することもある）として、ＨＮＢデバイス１１４１〜１１４Ｎによって示されている。例えば、単一のＳＡＩ、例えばＧＩＤ「１１１１」は、他の単一のＳＡＩのブロック又は範囲、例えば「１２３４」〜「１２３７」のＳＩＤを識別することができる。別の例では、ＧＩＤを表すＳＡＩは、特定の郵便番号の範囲内のＨＮＢデバイスの全部又は一部を示すことができる。さらに別の例では、ＧＩＤを表すＳＡＩは、特定のゴミ収集サービス、公益事業者、芝生の手入れサービス、現地の企業又はベンダーの会員、公的又は私的なコミュニティー、特定のゾーニング領域などの所在地住所のほか、実質的にあらゆる現地の気象、ニュース又は広告に関するものなど、第三者の商品又はサービスに対する加入者を表すことができる。加えて、開示する特徴は、「スマートグリッド」に関する規則又は規制のほか、「スマートグリッド」の実際の配備など、将来の進展に容易に組み込まれ、又は将来の進展を補完することができる。
【００３３】
別の観点から見ると、一意のグループ識別子（例：ＧＩＤ＝１１１１）を表すＳＡＩを、特定のゴミ収集サービスを共用しているすべての住宅に割り当てることができ、第２ＳＡＩ（例：ＧＩＤ＝２２２２）を、特定のガス事業会社の加入者に割り当てることができ、さらに第３ＳＡＩ（例：ＧＩＤ＝２２４４）は、近隣の見回りプログラムのコミュニティー・メンバーを表す。したがって、ゴミ収集サービスからの請求通知又は他の情報は、「１１１１」のターゲットＩＤ１１２を伴うメッセージ１１０に含めることができ、それにより、ターゲットにされた当事者のみがメッセージ１１０を受信し、この場合は少なくともＨＮＢデバイス１１４１、１１４２、１１４３および１１４Ｎが受信する。同様に、「２２２２」のターゲットＩＤ１１２を伴うメッセージ１１０に含まれるガス事業会社からの通知又は情報は、ＨＮＢデバイス１１４１および１１４３に対してのみ配信でき、（１つ又は複数の）他のターゲットＩＤ１１２についても同様である。
【００３４】
開示する主題の１つ又は複数の態様では、ターゲットＩＤ１１２はＵＴＲＡＮルーティング・エリア（ＵＲＡ）ＩＤであってよく、これは「ケース２」として示され、参照番号２０４によって表示されている。ＵＲＡ  ＩＤは通常、指定された論理ルーティング・エリアに含まれる複数のＨＮＢデバイスに関連する。よって、通常は単一のＨＮＢデバイスに関連するＳＡＩとは対照的に、ＵＲＡ  ＩＤは通常、論理ルーティング・エリア内にあるＨＮＢデバイスのようなＨＮＢデバイスの集合を固有に定義する。したがって、この場合、ＵＲＡ  ＩＤはグループ識別子（例：ＧＩＤ）を表すＳＡＩと似ていることがあり、そのためＧＩＤとの関係で上述した特徴の全部又は一部とともに実現できる。
【００３５】
さらに、１つ又は複数の態様では、ターゲットＩＤ１１２は、ＵＲＡページング・チャネルが有効である単一のＨＮＢデバイスに関連するＵＲＡ  ＩＤであり得る。そのため、典型的なＵＲＡ  ＩＤはＨＮＢデバイスの集合又はグループに関係するが、ＵＲＡページング・チャネルが有効である場合、個別化されたＵＲＡ  ＩＤを単一のＨＮＢデバイスに割り当てることができる。よって、ＳＡＩに関して上で詳述した特徴の全部又は一部を、この場合も実現できる。メッセージ１１０がＳＭＳメッセージであり得る場合に、メッセージ１１０がＳＭＳメッセージング・センターなどのシステム間ソースで発生する（又はシステム間ソースによって転送される）ときに、ＵＲＡ  ＩＤを用いることは特に都合が良いことがある。さらに、ＳＡＩ又はＵＲＡ  ＩＤを利用するか、両方を利用するかにかかわりなく、かかる識別子を後のアクセス又は呼び戻しおよび／又はメッセージ１１０に含まれるターゲットＩＤ１１２との比較のためにデータ・ストア２０８に保存することができる。データ・ストア２０８はまた、通し番号、媒体アクセス制御（ＭＡＣ）アドレスなど、いずれもデータ・ストア２０８内の１つ又は複数のＳＡＩ又はＵＲＡ  ＩＤに関連し得る、ＨＮＢデバイス・ハードウェアに関連する他の一意識別子を含むことができる。
【００３６】
ここで図３Ａを参照すると、ＳＡＩ又はＵＲＡ  ＩＤを割り振ることができるシステム３００が示されている。より詳細には、システム３００は、上でほぼ説明したインターフェース構成要素１０２およびフィルタ構成要素１１６のほか、本明細書で説明するその他の構成要素を含むことができる。加えて、システム３００は、セット１０４に含まれ、ここではＨＮＢデバイス１０４１〜１０４Ｍ（Ｍは正の整数で、一般的に、図２に関して説明したＮより大きい）として示されている各ＨＮＢデバイスに対し、１つ又は複数のターゲットＩＤ（例：ＳＡＩ又はＵＲＡ  ＩＤ）を割り当てる（例：割り振る、又は更新する）ことができる管理構成要素３０２も含むことができる。
【００３７】
したがって、ターゲットＩＤ１１２がＳＡＩを表すか、ＵＲＡ  ＩＤを表すかを問わず、メッセージ１１０は（１人又は複数の）予定受信者のみを特にターゲットにして当該予定受信者のみに配信することができる。また、単一又は個別のＨＮＢデバイスのほか、ＨＮＢデバイスの任意の数のグループ又は集合をターゲットにできることで、指定された当事者に対してのみメッセージ１１０を配信するための豊富かつ効率的な手段を達成することができる。例えば、個々の世帯（さらには、後述する個々のモバイル・デバイス）のほか、本質的に任意の所望の特性又は関連性に依拠する様々なコミュニティーをターゲットにすることができる。例えば、管理構成要素３０２は、セット１０４に含まれる所与のＨＮＢデバイスに１つ又は複数のＳＡＩ又はＵＲＡ  ＩＤ（例：ターゲットＩＤ１１２）を割り振る割り当て３０４をデータ・ストア２０８に提供することができ、ネットワーク事業者が望む特徴に基づきそうすることができるが、これについては図３Ｂを参照してさらに論じる。
【００３８】
引き続き図３Ａを参照しつつ図３Ｂにも目を向けると、ターゲットＩＤの割り当ての例示的な基準を提示する具体例３２０が示されている。特に、具体例３２０は、ターゲットＩＤを特定のＨＮＢデバイスに割り当てる場合に管理構成要素３０２にとって有用又は好都合であり得る例示的な基準を提示している。かかる基準は、例えば、顧客、商取引、公的、私的もしくは別の種類の関係（示されている関係３２２）、又は加入もしくは商品やサービスの提供（参照番号３２４によって示されている）に基づくことができる。典型的には、関係３２２および加入／提供３２４は一般に、廃棄物除去サービス又は公益事業サービスの提供など、前述の例に関係するが、商品又はサービスの保証の特徴、家族関係、友人、知人、又は同僚との関係、クラブもしくはメンバーの関係、場所に基づく関係などに基づくこともできる。
【００３９】
加えて、管理構成要素３０２は、要求又は照会３２６に基づき割り当て３０４を生成することができる。例えば、テレビ番組によって宣伝される世論調査又は投票要求にＵＥを用いて応答するテレビ視聴者に基づく特別なコミュニティーについて考えたい。管理構成要素３０２はかかる特別コミュニティー用にターゲットＩＤ１１２を割り振り、当該ターゲットＩＤ１１２を、ＨＮＢデバイスの適切なサブセット１１４に関連付けることができる。したがって、世論調査もしくは投票の結果又は他のデータは後に、投票又は世論調査の応答の発生元であるか、かかる特定のターゲットＩＤ１１２が適用されるＨＮＢデバイス（例：投票の送信元であるＨＮＢデバイスのサブセット１１４）に対してのみ配信できる。
【００４０】
さらに、管理構成要素３０２は、１つ又は複数のＨＮＢデバイスに対応する住宅又は企業の人口動態又は関心事項３２８に基づき割り当て３０４を割り振ることもできる。人口動態／関心事項３２８は、例えば年齢、性別、収入、政治的な考え、好きなもの、嫌いなものなどに基づいてよく、メッセージ１１０に含まれる広告に特に関係し得る。そのため、管理構成要素３０２は、一定の人口動態／関心事項３２８に基づき特定のコミュニティーを設計し、当該コミュニティー向けにＳＡＩ又はＵＲＡ  ＩＤを提供することができる。よって、適切と見なされる任意のメッセージ１１０は、特定の人口動態／関心事項３２８に基づき、当該コミュニティーを明確にターゲットにすることができる。用いられる特定の基準にかかわらず、具体例３２０によって示される提供される例の１つであるか、他の基準であるかを問わず、すべての適切な情報はデータ・ストア２０８に保存できることを了解されたい。例えば、管理構成要素３０２は、それぞれのＨＮＢデバイスごとに、その特定のＨＮＢデバイスのユーザの関係３２２、加入／提供３２４、要求／照会３２６、および／又は人口動態／関心事項３２８に関係し得るプロファイルを作成することができる。
【００４１】
それぞれＵＥ３０６１およびＵＥ３０６２にサービス提供するＨＮＢ１０４１およびＨＮＢ１０４２が示すように、多くのＨＮＢデバイスはそれぞれ単一のＵＥ（例：単一の個人によって利用される好ましいモバイル・デバイス）にサービス提供するとみられるが、単一のＨＮＢデバイスが多くのＵＥ端末にサービス提供することも考えられることをさらに了解されたい。例えば、ここで示すように、複数のＵＥ、具体的にはＵＥ３０６３〜３０６５にサービス提供するＨＮＢデバイス１０４Ｍの場合、これらの一部又は全部は、同じ世帯における複数の個人又は同じ事業所における複数の従業員など、異なる個人によって利用されることがある。
【００４２】
１つのＨＮＢデバイスが複数のＵＥ端末にサービス提供する後者の場合、ターゲットＩＤ１１２は、典型的には特定のＨＮＢデバイスを識別するだけであり、そのため一般には後者の場合に個々の受信者間で区別することはできないことを了解されたい。しかし、ＨＮＢデバイスによってサービス提供される個々の加入者を特にターゲットにすることができる追加の機能が存在する。例えば、ＨＮＢデバイスは、ＨＮＢデバイスへアクセスする権限を有するＵＥデバイスを識別するアクセス制御リスト又は「ホワイトリスト」を維持することが多い。典型的には、アクセス制御リストは、顧客情報の入力（例：認められた電話番号又は他の識別情報の入力）により埋められるが、任意の適切な発見メカニズムを用いてアクセス制御リストを自動的に埋めることができる。
【００４３】
いずれにせよ、かかる情報は取得されると、ＨＮＢによって管理構成要素３０２に宛ててフェムトセル・ネットワークへ（例：ＯＳＳへ、又は管理構成要素３０２が存在する別のネットワーク構成要素へ）伝搬され得る。本明細書で説明する他のデータと同様に、アクセス制御リストはデータ・ストア２０８に保存できる。さらに、かかる情報が取得されると、通信は、個々のＨＮＢデバイスをターゲットにするにとどまらず、個々の加入者をターゲットにする細分性を持つことができる。より具体的には、メッセージ１１０は、ＨＮＢデバイスのサブセット１１４に含まれる特定のＨＮＢデバイスによってサービス提供される特定の無線通信デバイスを識別する（例：アクセス制御リストに記録されている）ＵＥ  ＩＤをさらに含むことができる。したがって、フィルタ構成要素１１６は、メッセージ１１０の宛先となる特定の個人を決定し、インターフェース構成要素１０２を用いてメッセージ１１０を、かかる特定の個人によって利用されるか、かかる特定の個人に関連する特定のＵＥに対してのみ配信することができる。
【００４４】
ここで図４を参照すると、さらなる登録発振の軽減および／又はシステム間メッセージングの低減に対する応答要求を用いることができるシステム４００が提示されている。上で紹介したように、ＵＥが関連ＨＮＢデバイスに登録された場合、接続は既に知られており、フェムトセル・ネットワークとの間で確立しているため、ＵＲＡ又はＳＡＩの範囲のような専用リソースは、マクロ・ネットワークに対する不必要なリソース負荷／通信を除去又は低減することができる。かかる接続が存在する限り、指定されたターゲットの位置（ひいては指定されたターゲットへの経路）が既に知られているため、マクロ・ネットワークで通信をブロードキャストする必要はない。よって、ＵＥがフェムトセル・ネットワーク（例：関連ＨＮＢデバイス）を利用している間にフェムトセル・ネットワークに通信を向けることによって、登録発振を軽減することができる。
【００４５】
さらに、一定の通信に関係する応答を促進することによって、登録発振をさらに軽減することができる。例えば、従来型のネットワークおよび／又はマクロ・ネットワーク・レベルでは、おびただしいブロードキャストによって配信されるメッセージに応答することは、通常はない。そのため、大半のシステムは再試行メカニズムを用いて、ブロードキャストを時間切れになるまで一定の回数（例：３回の再試行）送信する。本明細書で説明する特徴に関して、この活動の大半は不必要なリソース利用と見なされ得る。
【００４６】
例えば、メッセージ（例：メッセージ１１０）が（１人又は複数の）予定受信者（例：サブセット１１４）に送信されると、管理構成要素３０２は、メッセージ１１０が受信されたことを確認するため、ＨＮＢデバイスのサブセット１１４に対する応答要求４０２の送信を促進することができる。応答４０４が管理構成要素３０２によって受信された場合、再試行が不必要であると判断し、さらに関連ＨＮＢデバイスと直接的にさらに通信するための専用リソースが確立されていると判断することができる。さらに、開示する主題の１つ又は複数の態様では、応答要求４０２は、フェムトセル・ネットワークと関連マクロ・ネットワークとの間におけるシステム間の再選択を軽減する循環的応答に関係し得る。
【００４７】
明らかに、例えばＵＥから関連ＨＮＢデバイスに伝搬され、次いで管理構成要素３０２に伝搬される循環的応答を用いることによって、ＵＥの位置を経時的に再確認することができる。したがって、登録発振を軽減できる期間を延長することに加えて、説明した専用ＨＮＢ−ＵＥベースの循環的応答を実施することも、ページング・トラフィックの場合などシステム間メッセージングの低減に寄与することができる。例えば、応答要求４０２に対して応答４０４がある限り、関連ＨＮＢデバイスへの専用ストリームが既に実行されているため、マクロ・ネットワーク上の特定のＵＥに対するリスニングの必要はない。よって、２つのネットワーク、すなわち、フェムトセル・ネットワークとマクロ・ネットワークとの間における従来型の信号伝達は、減らすか、完全に除去することができる。さらに、ＨＮＢデバイスのサブセット１１４に応答要求４０２を送信し、ＨＮＢデバイスのサブセット１１４から応答４０４を受信する管理構成要素３０２が概念的に示されているが、インターフェース構成要素１０２を用いて、管理構成要素３０２に代わって実際の送受信を実行できることを理解されたい。
【００４８】
ここで図５を参照すると、通信の効率化又は強化を促進できるＨＮＢデバイスを表すシステム５００が示されている。一般に、ＨＮＢデバイス５００は、「ホワイトリスト」と呼ばれることのあるアクセス制御リスト５０４を維持できる登録構成要素５０２を含むことができる。アクセス制御リスト５０４は複数のＵＥ  ＩＤを含むことができ、複数のＵＥ  ＩＤの各々は、ＨＮＢデバイス５００によってサービス提供されることを認められている１つ又は複数の特定の無線通信デバイスを表すことができる。一例として、ＨＮＢデバイス５００は、ホスト通信ネットワークの３人の異なる加入者を抱えた世帯で動作できる。無線通信デバイス又は端末５０６の例には、セルラー電話、スマートフォン、モバイル端末などがある。
【００４９】
ＨＮＢデバイス５００は、遠隔ネットワークへのインターフェース（例：第１インターフェース構成要素５０８）およびＨＮＢデバイス５００に登録されている対応（ｈｏｓｔｅｄ）ＵＥデバイス又は端末５０６へのインターフェース（例：第２インターフェース構成要素５１４）を含み、この場合、３つの端末５０６が示されているが、実質的に任意の数の端末５０６がサービス提供され得ることを了解されたい。第１インターフェース構成要素５０８は、ＵＥ  ＩＤ５１２を含むことができるメッセージ５１０を受信することができる。メッセージ５１２は、ターゲットＩＤ１１２を含むことができる上述のメッセージ１１０と実質的に同様のものであるか、メッセージ１１０の一部であり得る。ターゲットＩＤ１１２は、ＨＮＢデバイス５００がメンバーであるサブセット１１４として定められる予定受信者を識別することができるが、ＵＥ  ＩＤ５１２は、ＨＮＢデバイス５００によってサービス提供される複数の登録済み無線通信デバイス又は端末５０６から特定の無線通信デバイスを識別することができる。
【００５０】
さらに、ＨＮＢデバイス５００に含まれる第２インターフェース構成要素５１４はメッセージ５１０を、メッセージ５１０に含まれるＵＥ  ＩＤ５１２によって識別される（１つ又は複数の）特定の無線通信デバイスに対してのみ送信することができる。そのため、３つの端末５０６がＨＮＢデバイス５００によってサービス提供されているが、メッセージ５１０は、ＵＥ  ＩＤ５１２に基づきこれら３つの端末のうち任意の１つ又は複数に対し選択的に送信可能である。
【００５１】
ここで図６を参照すると、通信の効率化又は強化を促進できるＨＮＢデバイスに関係する追加の特徴又は態様を提供するシステム６００が示されている。システム６００は、アクセス制御リスト５０４を維持できる登録構成要素５０２、および上でほぼ詳述したＵＥ  ＩＤによって識別される特定の端末５０６のみに対してメッセージ５１０を送信できる第２インターフェース構成要素５１４、ならびに図５のＨＮＢデバイス５００との関係で詳述したその他の構成要素を含むことができる。
【００５２】
また、システム６００は、ＵＥ  ＩＤ５１２によって識別される特定の無線通信デバイス又は端末５０６が存在しない（ホーム・フェムトセルにキャンプされていない）ときにメッセージ５１０を保存できるメモリ６０２をさらに含むことができる。さらに、システム６００は、特定の無線通信デバイス（例：アクセス制御リスト５０４によって識別される一部又は全部の端末）の存在を検出できるポーリング構成要素６０６も含むことができる。上記に従い、ＵＥ  ＩＤ５１２によって識別される１つ又は複数の無線通信端末が存在しない場合（この場合、真ん中の端末５０６は「×」が付いており、これはＨＮＢデバイス５００に現在存在しないことを示す）、第２インターフェース構成要素５１４は、不在の端末５０６向けのメッセージ５１０をメモリ６０２に保存することができる。
【００５３】
ポーリング構成要素６０６は存在又は不在リストを能動的又は持続的に維持することができ、これは、メッセージ５１０が（１つ又は複数の）特定の無線通信端末５０６に直接的に転送されるか、メモリ６０２に保存されるかを確認するためにメッセージ５１０が受信された場合に（１つ又は複数の）ＵＥ  ＩＤ５１２と容易に比較できることを了解されたい。さらに、ＵＥ  ＩＤ５１２によって識別される端末５０６が不在のときにメッセージ５１０が受信された場合、ポーリング構成要素６０６は、かかる特定の端末がもはや不在ではないことが検出されると、メモリ６０２に以前保存されたメッセージ５１０の（例：第２インターフェース構成要素５１４による）送信を促進することができる。
【００５４】
さらに、システム６００は、応答要求６０８を受信することもでき、これは第１インターフェース構成要素５０８によって受信することができ、図４との関係で論じた応答要求４０２と実質的に同様であり得る。受信後、ポーリング構成要素６０６は応答要求６０８を、端末５０６におけるメッセージ５１０の１人又は複数の受信者に転送することができる。これに応じて、応答要求６０８を受信した端末５０６は応答６１０で返信することができ、これは第２インターフェース構成要素５１４によって受信することができ、ＨＮＢデバイス５００の第１インターフェース構成要素５０８によってアップリンクで転送できる。応答６１０は、ＵＥ  ＩＤ５１２によって識別される特定の端末５０６によってメッセージ５１０が受信されたことを確認することができ、その結果、特定のＵＥと他の通信ソースとの間の専用経路を確立することによって、登録発振を軽減してシステム間メッセージングを低減することができる。さらに、既に紹介したように、応答要求６０８と応答６１０との両方は、周期的又は循環的な性質を有することがあり、その結果、この専用経路の持続時間がより適切に設定される可能性がある。
【００５５】
図７、８および９は、開示する主題に従った各種方法を示している。説明を簡単にするため、この方法は、一連の動作として図示および説明しているが、開示する主題は動作の順序によって限定されず、いくつかの動作は、異なる順序で、かつ／又は本明細書における図示および説明による他の動作と同時に生じてよいことを理解および了解されたい。例えば、当業者は、１つの方法を、状態図などで一連の相関する状態又はイベントとして代替的に示すことができることを理解し了解しよう。また、開示する主題に従った方法を実施するために、例示したすべての動作が要求されるわけではない。また、以下で、かつ本明細書を通じて開示される方法は、かかる方法をコンピュータに移送および転送するのを容易にするため製造物に記憶できることをさらに了解されたい。本明細書で使用する製造物という用語は、コンピュータ可読のデバイス、キャリア又は媒体からアクセスできるコンピュータ・プログラムを包含することを意図している。
【００５６】
ここで図７を参照すると、フェムトセル・ネットワークによる通信の効率化又は強化を促進するため、ユニバーサル移動通信システム（ＵＭＴＳ）地上無線アクセス・ネットワーク（ＵＴＲＡＮ）の特徴を活用するための例示的な方法７００が示されている。一般に、参照番号７０２では、ＵＭＴＳ局所化共通パイロット・チャネルを用いるホーム・ノードＢ（ＨＮＢ）モジュールのセットとのインターフェースをとることができる。ＨＮＢモジュールのセットは、ＵＴＲＡＮネットワークで動作するＨＮＢモジュールの一部又は全部を含むことができ、その一部又は全部はＯＳＳ又は他の適切なネットワーク要素によって遠隔制御され得る。
【００５７】
参照番号７０４では、ターゲットＩＤを含むメッセージが受信され得る。ターゲットＩＤは、ＨＮＢモジュールのセットに含まれるＨＮＢモジュールのサブセットを識別することができる。換言すれば、参照番号７０２においてインターフェースをとられるすべてのＨＮＢモジュールの中から、特定のサブセット（例：１つ又は複数）がターゲットＩＤによって識別され得る。したがって、参照番号７０６では、参照番号７０４で受信されるメッセージは、全部か一部かを問わず、セットに含まれる全部又は追加のＨＮＢモジュールに対してではなく、ターゲットＩＤによって識別されるＨＮＢモジュールのサブセットのみに対して伝搬できる。
【００５８】
明らかに、専用チャネルによって経路を事前に識別できる特定のＨＮＢモジュールを選択的にターゲットにすることによって、いくつかの利点を提供できる。例えば、おびただしいブロードキャストはもはや必要とされないため、通信を効率化することができ、実際、ターゲットにされていない受信者に配信される重複メッセージは必要ではない。また、ターゲットにされていない個人は一般にメッセージの受信者では全くなくなるため、メッセージの選択的伝搬は本質的に一層安全であり得る。さらに、上でほぼ詳述したとおり、システム間メッセージングおよび登録発振を軽減又は低減することもできる。さらに、開示する主題は、「スマートグリッド」に関する提案など、将来の技術又は規則に容易に組み込まれ、又はこれらを補完することができる。
【００５９】
ここで図８を参照すると、ターゲットＩＤに関係するＳＡＩ又はＵＲＡ  ＩＤを用い、特定のＵＥをターゲットにするための例示的な方法８００が提示されている。参照番号８０２では、図７の参照番号７０４で受信されたメッセージは、（ターゲットＩＤに加えて）ＵＥ  ＩＤをさらに含むことができ、このＵＥ  ＩＤは、サービングＨＮＢモジュールによって提供されるアクセス制御リストに基づき１つ又は複数の特定の無線通信デバイスを識別する。したがって、ターゲットＩＤは、特定のＨＮＢモジュール又はフェムトセルを選択するのに十分であり得る一方、ＵＥ  ＩＤは、特定の個人に関連する特定のモバイル・デバイスを選択するためのさらなる細分性をもたらすことができる。
【００６０】
メッセージに含まれるターゲットＩＤに関して、参照番号８０４では、ターゲットＩＤと合致するＳＡＩに関連する単一のＨＮＢモジュールにメッセージを伝搬できる。同様に、参照番号８０６では、ターゲットＩＤと合致するグループＳＡＩにそれぞれが関連する複数のＨＮＢモジュールにメッセージを伝搬できる。したがって、ＳＡＩを用いて、参照番号８０４で詳述する単一のＨＮＢモジュールのほか、参照番号８０６との関係で論じたＨＮＢモジュールの集合又はグループを定めることができる。
【００６１】
追加又は代替として、参照番号８０８では、ＵＲＡページング・チャネルが有効である単一のＨＮＢモジュールにメッセージを伝搬することができ、この単一のＨＮＢモジュールは、ターゲットＩＤと合致するＵＲＡ  ＩＤに関連する。しかし、予定受信者が複数である場合、参照番号８１０では、ターゲットＩＤと合致するＵＲＡ  ＩＤにそれぞれが関連する複数のＨＮＢモジュールにメッセージを伝搬することができる。したがって、ターゲットＩＤがＳＡＩを反映する場合と同様に、ターゲットＩＤがＵＲＡ  ＩＤを反映する場合、個々のＨＮＢモジュールとグループのＨＮＢモジュールの両方をターゲットにすることができる。
【００６２】
図９を簡単に参照すると、ターゲットＩＤをＨＮＢモジュールに割り振り、かつ／又は応答を用いてシステム負荷をさらに低減するための例示的な方法９００が示されている。参照番号９０２では、ＨＮＢモジュールのセットに含まれる各ＨＮＢモジュールに対し、１つ又は複数のターゲットＩＤを割り当てることができる。典型的には、セットに含まれる各ＨＮＢモジュールは、少なくとも個別の又は単一のターゲットＩＤ（ＳＩＤ）を割り当てられ、かかる単一のＩＤがＳＡＩに基づくか、ＵＲＡ  ＩＤに基づくかは問わない。しかし、一部のＨＮＢモジュール（場合によっては全部）は、例えば１つはＳＡＩに基づき、別の１つはＵＲＡ  ＩＤに基づき、又はその他の適切な理由により、複数のＳＩＤを有することがある。第１ＳＩＤ又は１次ＳＩＤを、例えばＨＮＢのロケーション郵便番号（ｌｏｃａｔｉｏｎ  ｚｉｐ  ｃｏｄｅ）に従い増分的に割り当てることができる。また、各ＨＮＢモジュールは非常に多くのグループＩＤ（ＧＩＤ）を有する可能性があり、例えば１つは現地のガス会社の顧客であることに基づき割り当てられ、別の１つは現地のコンドミニアムのコミュニティーとの関係に基づき割り当てられ、さらに別の１つはその場限りの又は一時的な関係に基づくことがある。
【００６３】
これらのターゲットＩＤの一部又は全部、ただし特にＧＩＤは、様々な有用な基準に基づき割り当てることができる。例えば、参照番号９０４では、１つ又は複数のターゲットＩＤは、顧客関係、商取引関係、社会的ネットワーク関係、又は別の種類の関係に基づき割り当てることができる。１つ又は複数のターゲットＩＤは、加入又は商品もしくはサービス提供に基づき割り当てることもできる。他の例には、要求又は照会、人口動態又は関心事項などがあり得る。
【００６４】
参照番号９０６では、メッセージが受信されたことの確認のため、ＨＮＢモジュールのサブセットに応答要求を送信できる。同様に、参照番号９０８では、応答要求に応じて循環的応答を提供するようＨＮＢデバイスのサブセットに命令するために応答要求を送信できる。フェムトセル・ネットワークと関連マクロ・ネットワークとの間におけるシステム間の再選択を軽減し、フェムトセル・ネットワークとマクロ・ネットワークとの間におけるシステム間のメッセージ・トラフィックを低減するために、循環的応答を用いることができる。
【００６５】
本明細書の各種態様のさらなる状況を提示するため、図１０は、本明細書で説明する態様に従いフェムトセル企業ネットワークの動作を有効にすることができる関連構成要素を伴う例示的な無線通信環境１０００を示している。無線通信環境１０００は、次の２つの無線ネットワーク・プラットフォームを含む。（ｉ）マクロ無線アクセス・ネットワーク（ＲＡＮ）１０７０を介してユーザ機器１０７５にサービスを提供するか、又はユーザ機器１０７５との通信を促進するマクロ・ネットワーク・プラットフォーム１０１０。セルラー無線技術（例：４Ｇ、３ＧＰＰ  ＵＭＴＳ、ＨＳＰＡ、３ＧＰＰ  ＬＴＥ、３ＧＰＰ  ＵＭＢ）では、マクロ・ネットワーク・プラットフォーム１０１０はコア・ネットワークで具現化されることを了解されたい。（ｉｉ）フェムトＲＡＮ１０９０を通じたＵＥ１０７５との通信を提供することができるフェムト・ネットワーク・プラットフォーム１０８０。フェムトＲＡＮ１０９０は、ルーティング・プラットフォーム１０２を通じて（１つ又は複数の）バックホール・パイプ１０８５を介してフェムト・ネットワーク・プラットフォーム１０８０にリンクされ、（１つ又は複数の）バックホール・パイプは、以下のバックホール・リンク３８５３とほぼ同じである。ＵＥ１０７５が（例：マクロからフェムトへのハンドオーバを通じて、又はアイドル・モードにおけるチャネル・リソースのスキャンにより）フェムトＲＡＮに接続されると、フェムト・ネットワーク・プラットフォーム１０８０は通常はマクロ・ネットワークからＵＥ１０７５をオフロードすることを了解されたい。
【００６６】
ＲＡＮは、（１つもしくは複数の）基地局、又は（１つもしくは複数の）アクセス・ポイント、ならびに関連する電子回路および（１つ又は複数の）配備サイトのほか、（１つ又は複数の）基地局に従って動作するワイヤレス無線リンクを含むことが認められる。したがって、マクロＲＡＮ１０７０は、セル１２０５のような様々なカバレージ・セルを含むことができ、フェムトＲＡＮ１０９０は、複数のフェムト・アクセス・ポイントを含むことができる。上述のように、フェムトＲＡＮ１０９０における配備密度は、マクロＲＡＮ１０７０の配備密度よりかなり高いことを了解されたい。
【００６７】
一般に、マクロ・ネットワーク・プラットフォーム１０１０およびフェムト・ネットワーク・プラットフォーム１０８０の両方は、パケット交換（ＰＳ）（例：インターネット・プロトコル（ＩＰ）、フレーム・リレー、非同期転送モード（ＡＴＭ））および回線交換（ＣＳ）トラフィック（例：音声およびデータ）の両方を促進し、ネットワーク化された無線通信の生成を制御する構成要素、例えばノード、ゲートウェイ、インターフェース、サーバ又はプラットフォームを含む。本発明の一態様では、マクロ・ネットワーク・プラットフォーム１０１０は、（１つ又は複数の）ＣＳゲートウェイ・ノード１０１２を含み、これは、（１つ又は複数の）電話ネットワーク１０４０（例：公衆交換電話網（ＰＳＴＮ）、又は公衆陸上移動ネットワーク（ＰＬＭＮ））又はＳＳ７ネットワーク１０６０のようなレガシー・ネットワークから受信したＣＳトラフィックをインターフェースすることができる。回線交換ゲートウェイ１０１２は、かかるネットワークから生じるトラフィック（例：音声）を許可し、認証することができる。加えて、ＣＳゲートウェイ１０１２は、ＳＳ７ネットワーク１０６０を通じて生成される移動性データ又はローミング・データにアクセスすることができ、例えば、移動性データはＶＬＲに保存され、これはメモリ１０３０に存在し得る。さらに、（１つ又は複数の）ＣＳゲートウェイ・ノード１０１２は、ＣＳベースのトラフィックおよび信号伝達および（１つ又は複数の）ゲートウェイ・ノード１０１８をインターフェースする。例えば、３ＧＰＰ  ＵＭＴＳネットワークでは、（１つ又は複数の）ゲートウェイ・ノード１０１８は、（１つ又は複数の）ゲートウェイＧＰＲＳサポート・ノード（ＧＧＳＮ）に具現化できる。
【００６８】
ＣＳ交換トラフィックおよび信号伝達を受信および処理することに加えて、（１つ又は複数の）ゲートウェイ・ノード１０１８は、（例：マクロＲＡＮを通じて）サービス提供される無線デバイスとのＰＳベースのデータ・セッションを許可し認証することができる。データ・セッションは、（１つ又は複数の）ワイド・エリア・ネットワーク（ＷＡＮ）１０５０のようなマクロ・ネットワーク・プラットフォーム１０１０の外部にあるネットワークとのトラフィック交換を含むことができる。また、（１つ又は複数の）ローカル・エリア・ネットワーク（ＬＡＮ）は、（１つ又は複数の）ゲートウェイ・ノード１０１８を通じてマクロ・ネットワーク・プラットフォーム１０１０とのインターフェースをとることができることを了解されたい。データ・セッションが確立された場合に（１つ又は複数の）ゲートウェイ・ノード１０１８はパケット・データ・コンテキストを生成する。そのために、一態様では、（１つ又は複数の）ゲートウェイ・ノード１０１８は、Ｗｉ−Ｆｉネットワークのような（１つ又は複数の）異種無線ネットワークとのパケット化された通信を促進できるトンネル・インターフェース（例：（１つ又は複数の）３ＧＰＰ  ＵＭＴＳネットワークにおけるトンネル終端ゲートウェイ（ＴＴＧ）：不図示）を含むことができる。パケット化された通信が（１つ又は複数の）サーバ１０１４を通じて生成できる複数のフローを含み得ることをさらに了解されたい。（１つ又は複数の）３ＧＰＰ  ＵＭＴＳネットワークでは、（１つ又は複数の）ゲートウェイ・ノード１０１８（例：ＧＧＳＮ）およびトンネル・インターフェース（例：ＴＴＧ）はパケット・データ・ゲートウェイ（ＰＤＧ）を含むことに留意されたい。
【００６９】
マクロ・ネットワーク・プラットフォーム１０１０は、（１つ又は複数の）ゲートウェイ・ノード１０１８を通じて受信される情報又はデータ・ストリームの様々なパケット化されたフローを提供する（１つ又は複数の）サービング・ノード１０１６も含む。例えば、３ＧＰＰ  ＵＭＴＳネットワークでは、（１つ又は複数の）サービング・ノードは、（１つ又は複数の）サービングＧＰＲＳサポート・ノード（ＳＧＳＮ）で具現化できる。
【００７０】
上記のように、マクロ・ネットワーク・プラットフォーム１０１０における（１つ又は複数の）サーバ１０１４は、複数の異なるパケット化されたデータ・ストリーム又はフローを生成し、かかるフローを管理する（例：スケジュールする、待ち行列に入れる、フォーマットする．．．）多数のアプリケーション（例：ロケーション・サービス、オンライン・ゲーム、無線バンキング、無線デバイス管理．．．）を実行することができる。（１つ又は複数の）かかるアプリケーションは、例えば、マクロ・ネットワーク・プラットフォーム１０１０によって提供される標準的サービスに対するアドオン機能を含むことができる。データ・ストリームは、許可／認証およびデータ・セッションの開始のため（１つ又は複数の）ゲートウェイ・ノード１０１８に、さらに、その後の通信のために（１つ又は複数の）サービング・ノード１０１６に送ることができる。（１つ又は複数の）サーバ１０１４は、（１つ又は複数の）ＣＳゲートウェイ・ノード１０２および（１つ又は複数の）ゲートウェイ・ノード１０１８が実現できる許可および認証の手順に加えて、ネットワークのオペレーションおよびデータの完全性を確保するため、マクロ・ネットワーク・プラットフォーム１０１０のセキュリティを有効にする（例：１つ又は複数のファイアウォールを実施する）こともできる。さらに、（１つ又は複数の）サーバ１０１４は、（１つ又は複数の）外部ネットワーク、例えば、ＷＡＮ１０５０又は（１つもしくは複数の）全地球測位システム（ＧＰＳ）ネットワーク（不図示）からサービスを提供することができる。（１つ又は複数の）サーバ１０１４は、マクロ・ネットワーク・プラットフォーム１０１０の機能を少なくとも部分的に付与するように構成された１つ又は複数のプロセッサを含むことができる。そのために、１つ又は複数のプロセッサは、例えば、メモリ１０３０に保存されているコード命令を実行することができる。
【００７１】
例示的な無線環境１０００では、メモリ１０３０は、マクロ・ネットワーク・プラットフォーム１０１０の動作に関係する情報を保存する。情報は、加入者に関連する業務データ、市場計画および戦略（例：販売促進キャンペーン、事業提携）、マクロ・ネットワーク・プラットフォームを通じてサービス提供されるモバイル・デバイスに関する動作上のデータ、サービスおよびプライバシーの方針、当局向けのエンドユーザ・サービス記録などを含むことができる。メモリ１０３０はまた、（１つ又は複数の）電話ネットワーク１０４０、（１つ又は複数の）ＷＡＮ１０５０、又はＳＳ７ネットワーク１０６０、（１つ又は複数の）企業ネットワーク１０６５、又は（１つ又は複数の）サービス・ネットワーク１０６７のうちの少なくとも１つからの情報を保存することができる。
【００７２】
（１つ又は複数の）フェムト・ゲートウェイ・ノード１０８４は、（１つ又は複数の）ＰＳゲートウェイ・ノード１０１８とほぼ同じ機能を有する。また、（１つ又は複数の）フェムト・ゲートウェイ・ノード１０８４は、（１つ又は複数の）サービング・ノード１０１６の実質的にすべての機能を含むこともできる。一態様では、（１つ又は複数の）フェムト・ゲートウェイ・ノード１０８４は、ハンドオーバの解決（ｈａｎｄｏｖｅｒ  ｒｅｓｏｌｕｔｉｏｎ）、例えば評価および実行を促進する。さらに、（１つ又は複数の）制御ノード１０２０は、ハンドオーバ要求を受信し、（１つ又は複数の）ゲートウェイ・ノード１０８４を介してハンドオーバ構成要素（不図示）に渡すことができる。一態様によると、（１つ又は複数の）制御ノード１０２０は、ＲＮＣ能力をサポートすることができ、これは制御構成要素３２０（図３）と実質的に同様であってよく、その機能を含むことができる。
【００７３】
（１つ又は複数の）サーバ１０８２は、（１つ又は複数の）サーバ１０１４との関係で説明したのとほぼ同じ機能を有する。一態様では、（１つ又は複数の）サーバ１０８２は、フェムトＲＡＮ１０９０を通じてサービス提供される無線デバイスにサービス（例：音声およびデータ）を提供する（１つ又は複数の）マルチアプリケーション（ｍｕｌｔｉｐｌｅ  ａｐｐｌｉｃａｔｉｏｎ）を実行することができる。（１つ又は複数の）サーバ１０８２はまた、フェムト・ネットワーク・プラットフォームにセキュリティ機能を提供することができる。さらに、（１つ又は複数の）サーバ１０８２は、マクロ・ネットワーク・プラットフォーム１０１０から受信するデータに加えて、生成するほぼすべてのパケット化フロー（例：ＩＰベース、フレーム・リレー・ベース、ＡＴＭベース）を管理する（例：スケジュールする、待ち行列に入れる、フォーマットする．．．）ことができる。（１つ又は複数の）サーバ１０８２は、マクロ・ネットワーク・プラットフォーム１０１０の機能を少なくとも部分的に付与するように構成された１つ又は複数のプロセッサを含むことができることに留意されたい。そのために、１つ又は複数のプロセッサは、例えば、メモリ１０８６に保存されているコード命令を実行することができる。
【００７４】
メモリ１０８６は、フェムト・ネットワーク・プラットフォーム１０８０の各種構成要素の動作に関する情報を含むことができる。例えば、メモリ１０８６に保存可能な動作情報は、加入者情報、契約サービス、保守およびサービス記録、フェムトセル構成（例：フェムトＲＡＮ１０９０を通じてサービス提供されるデバイス、アクセス制御リスト又はホワイトリスト）、サービス方針および仕様、プライバシー方針、アドオン機能などを含むが、これらに限定されない。
【００７５】
フェムト・ネットワーク・プラットフォーム１０８０およびマクロ・ネットワーク・プラットフォーム１０１０は、１つ又は複数の参照リンク又は参照インターフェースを通じて機能的に接続され得ることに留意されたい。加えて、フェムト・ネットワーク・プラットフォーム１０８０は、（１つ又は複数の）外部ネットワーク１０４０、１０５０、１０６０、１０６５又は１０６７のうちの１つ又は複数に対し直接的に（不図示）機能的に結合され得る。（１つもしくは複数の）参照リンク又は（１つもしくは複数の）インターフェースは、（１つもしくは複数の）ゲートウェイ・ノード１０８４又は（１つもしくは複数の）サーバ１０８６のうちの少なくとも１つを、１つ又は複数の外部ネットワーク１０４０、１０５０、１０６０、１０６５又は１０６７に機能的にリンクすることができる。
【００７６】
図１１は、本明細書で説明する態様に従った無線カバレージにおけるマクロセルおよびフェムトセルを含む無線環境を示している。無線環境１１５０では、２つのエリア１１０５は「マクロ」セル・カバレージを表しており、各マクロセルは基地局１１１０によってサービス提供されている。マクロセル・カバレージ・エリア１１０５および基地局１１１０は、例えばシステム１１００に関して本明細書でより詳しく説明する機能を含むことができることが了解され得る。マクロ・カバレージは、屋外にあるＵＥ１１２０Ａ、１１２０Ｂのようなモバイル無線デバイスにサービス提供することを一般に意図している。無線ワイヤレス・リンク１１５はこうしたカバレージを提供しており、ワイヤレス・リンク１２１５は、ダウンリンク（ＤＬ）およびアップリンク（ＵＬ）を含み、無線周波数（ＲＦ）スペクトルの許可されているか許可されていない所定の帯域を利用する。例えば、ＵＥ１１２０Ａ、１１２０Ｂは、３ＧＰＰユニバーサル移動通信システム（ＵＭＴＳ）携帯電話であってよい。一連の基地局、その関連電子機器、回路又は構成要素、（１つ又は複数の）基地局制御構成要素および一連の基地局における各基地局に従って運営されるワイヤレス・リンクが、無線アクセス・ネットワーク（ＲＡＮ）を形成することが認められる。加えて、基地局１１１０は（１つ又は複数の）バックホール・リンク１１５１を介して、マクロ・ネットワーク・プラットフォーム１１６０と通信し、これはセルラー無線技術（例：第３世代パートナーシップ・プロジェクト（例：３ＧＰＰ）ユニバーサル移動通信システム（ＵＭＴＳ）、グローバル移動通信システム（ＧＳＭ））においてコア・ネットワークを表す。
【００７７】
一態様では、マクロ・ネットワーク・プラットフォーム１１６０は、各セル又は当該セル内の複数のセクターにサービスを提供する一連の基地局１１１０を制御する。基地局１１１０は、１つ又は複数の無線技術で動作する無線機器１１１４、およびマクロセル１１０５内の１つ又は複数のセクターにサービスを提供できる一連のアンテナ１１１２（例：スマート・アンテナ、マイクロ波アンテナ、（１つ又は複数の）衛星通信用パラボラアンテナ．．．）を含む。マクロ・ネットワーク・プラットフォームの一部であり得る一連の（１つ又は複数の）無線ネットワーク制御ノード、一連のマクロセル１１０５にサービスを提供する一連の基地局（例：ノードＢ１１１０）、一連の基地局にある基地局に関連する電子機器、回路又は構成要素、基地局全体を通じて無線技術に従い動作する一連の各ＯＴＡワイヤレス・リンク（例：リンク１１１５又は１１１６）、（１つ又は複数の）バックホール・リンク１１５５および１１５１が、マクロ無線アクセス・ネットワーク（ＲＡＮ）を形成することが認められる。マクロ・ネットワーク・プラットフォーム１１６０はまた、他のセル（不図示）にサービス提供する他の基地局（不図示）と通信する。（１つ又は複数の）バックホール・リンク１１５１又は１１５３は、有線バックボーン・リンク（例：光ファイバ・バックボーン、より対線、Ｔ１／Ｅ１電話回線、同期又は非同期のデジタル加入者回線（ＤＳＬ）、非対称ＡＳＤＬ、又は同軸ケーブル．．．）又はワイヤレス（例：見通し線（ＬＯＳ）もしくは非ＬＯＳ）バックボーン・リンクを含むことができる。（１つ又は複数の）バックホール・パイプ１１５５は、異なる基地局１１１０をリンクする。一態様によると、バックホール・リンク１１５３は、複数のフェムト・アクセス・ポイント１１３０および／又はコントローラ構成要素（ＣＣ）１１０１をフェムト・ネットワーク・プラットフォーム１１０２に接続することができる。一例では、複数のフェムトＡＰをルーティング・プラットフォーム（ＲＰ）１０８７に接続することができ、次いでＲＰ１０８７はコントローラ構成要素（ＣＣ）１１０１に接続できる。典型的には、ＵＥ１１２０Ａからの情報をＲＰ１０２によって、例えば内部的に、ＲＰ１０８７に接続された異なるフェムトＡＰに接続された別のＵＥ１１２０Ａに、又は外部的に、上で詳細に論じたとおりＣＣ１１０１を介してフェムト・ネットワーク・プラットフォーム１１０２に経路指定することができる。
【００７８】
無線環境１１５０において、１つ又は複数のマクロセル１１０５内に、各フェムト・アクセス・ポイント（ＡＰ）１１３０によってサービス提供されている一連のフェムトセル１１４５を配備することができる。本発明の態様は、１つの基地局１１１０あたり相当なフェムトＡＰ密度、例えば１０４〜１０７のフェムトＡＰ１１３０を有するフェムトセル配備に適合していることが了解され得る。一態様によれば、一連のフェムト・アクセス・ポイント１１３０１〜３７３０Ｎ（Ｎは自然数）は、ルーティング・プラットフォーム１０８７に機能的に接続でき、ルーティング・プラットフォーム１０８７はコントローラ構成要素１１０１に機能的に結合できる。コントローラ構成要素１１０１は、（１つ又は複数の）バックホール・リンク１１５３を用いることによって、フェムト・ネットワーク・プラットフォーム３３０に運用上リンクされ得る。したがって、フェムトＡＰ１１３０１〜３８３０Ｎに接続されたＵＥのＵＥ３７２０Ａは、ルーティング・プラットフォーム（ＲＰ）１０８７を介してフェムト企業内で内部的に通信することができ、かつ／又はＲＰ１０８７、コントローラ構成要素１１０１および（１つ又は複数の）バックホール・リンク１１５３を介してフェムト・ネットワーク・プラットフォーム１１０２と通信することもできる。図１１にはたった１つのフェムト企業が示されているが、マクロセル１１０５内に複数のフェムト企業ネットワークを配備できることが了解され得る。
【００７９】
本明細書で説明する様々な態様、特徴又は利点は、（１つ又は複数の）フェムト・アクセス・ポイントおよび関連するフェムト・カバレージを通じて示してきたが、かかる態様および特徴は、例えばＷｉ−Ｆｉ（ワイヤレス・フィデリティー）又はピコセル通信のような実質的にあらゆる、又はあらゆる異なる通信技術を通じて無線カバレージを提供する（１つ又は複数の）ホーム・アクセス・ポイント（ＨＡＰ）向けに用いることもできる。また、本発明の態様、特徴又は利点は、実質的にあらゆる無線通信、無線、技術、例えばＷｉ−Ｆｉ、ワールドワイド・インターオペラビリティ・フォー・マイクロウェーブ・アクセス（ＷｉＭＡＸ）、拡張汎用パケット無線サービス（拡張ＧＰＲＳ）、３ＧＰＰ  ＬＴＥ、３ＧＰＰ２  ＵＭＢ、３ＧＰＰ  ＵＭＴＳ、ＨＳＰＡ、ＨＳＤＰＡ、ＨＳＵＰＡ、又はＬＴＥ  Ａｄｖａｎｃｅｄで用いることができる。さらに、本発明の実質的にすべての態様は、レガシー通信技術を含むことができる。
【００８０】
本明細書で説明する様々な態様又は特徴は、標準的なプログラミングおよび／又はエンジニアリング技術を用いた方法、装置又は製造物として実行することができる。加えて、本明細書で開示する様々な態様は、メモリに保存されているプログラム・モジュールによって実施することができ、プロセッサ、又はハードウェアおよびソフトウェア、又はハードウェアおよびファームウェアの他の組み合わせによって実行できる。本明細書で使用する「製造物」という用語は、コンピュータ可読のデバイス、キャリア又は媒体からアクセスできるコンピュータ・プログラムを包含することを意図している。例えば、コンピュータ可読媒体は、磁気記憶デバイス（例：ハードディスク、フロッピー・ディスク、磁気ストリップ．．．）、光ディスク（例：コンパクト・ディスク（ＣＤ）、デジタル多目的ディスク（ＤＶＤ）、ブルーレイ・ディスク（ＢＤ）．．．）、スマートカード、フラッシュ・メモリ・デバイス（例：カード、スティック、キードライブ．．．）を含むことができるが、これらに限定されない。さらに、搬送波を用いて、電子メールの送受信又はインターネットもしくはローカル・エリア・ネットワーク（ＬＡＮ）などのネットワークへのアクセスで使用されるもののようなコンピュータ可読電子データを搬送できることを了解されたい。もちろん、当業者には、開示する主題の範囲又は趣旨から離れることなく、この構成に多くの修正を加えることができることが分かるだろう。
【００８１】
本明細書で用いる用語「プロセッサ」は、実質的にあらゆるコンピューティング処理ユニット又はデバイスを指すことができ、単一コア・プロセッサ、ソフトウェア・マルチスレッド実行能力を備えた単一プロセッサ、マルチコア・プロセッサ、ソフトウェア・マルチスレッド実行能力を備えたマルチコア・プロセッサ、ハードウェア・マルチスレッド技術を備えたマルチコア・プロセッサ、並列プラットフォーム、および分散共有メモリを備えた並列プラットフォームを含むが、これらを含むことに限定されない。また、プロセッサは、集積回路、アプリケーション専用集積回路（ＡＳＩＣ）、デジタル信号プロセッサ（ＤＳＰ）、フィールド・プログラマブル・ゲート・アレイ（ＦＰＧＡ）、プログラマブル論理コントローラ（ＰＬＣ）、複合プログラマブル論理デバイス（ＣＰＬＤ）、個別ゲートもしくはトランジスタ論理、個別ハードウェア構成要素、又は本明細書で説明した機能を実行するよう設計されたこれらの何らかの組み合わせを指すことがある。プロセッサは、スペースの利用を最適化すること、又はユーザ機器の性能を向上させることを目的として、ナノスケールのアーキテクチャ、例えば、限定されることなしに、分子および量子ドットに基づくトランジスタ、スイッチおよびゲートを利用することができる。プロセッサはまた、コンピューティング処理ユニットの組み合わせとして実施できる。
【００８２】
本明細書において、「ストア」、「データ・ストア」、「データ・ストレージ」、「データベース」、「リポジトリ」といった用語、ならびに構成要素の動作および機能に関係する実質的にあらゆる他の情報記憶構成要素は、「メモリ構成要素」、又は「メモリ」に具現化されたエンティティ、又はメモリを備えた構成要素を指す。本明細書で説明するメモリ構成要素は揮発性メモリもしくは不揮発性メモリのいずれかであってよく、又は揮発性メモリおよび不揮発性メモリの両方を含んでもよいことが了解されよう。加えて、メモリ構成要素又はメモリ要素は、取り外し可能なもの、又は固定されたものであり得る。また、メモリは、デバイス又は構成要素の内部又は外部にあるか、取り外し可能なもの、又は固定されたものであり得る。メモリは、ハードディスク・ドライブ、ジップ・ドライブ、磁気カセット、フラッシュ・メモリ・カード、又は他の種類のメモリ・カード、カートリッジなど、コンピュータ可読の各種媒体を含むことができる。
【００８３】
限定することなく例を挙げると、不揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）又はフラッシュ・メモリを含むことができる。揮発性メモリは、外部キャッシュ・メモリとして機能するランダム・アクセス・メモリ（ＲＡＭ）を含むことができる。限定することなく例を挙げると、ＲＡＭは、同期ＲＡＭ（ＳＲＡＭ）、ダイナミックＲＡＭ（ＤＲＡＭ）、同期ＤＲＡＭ（ＳＤＲＡＭ）、ダブル・データ・レートＳＤＲＡＭ（ＤＤＲ  ＳＤＲＡＭ）、拡張ＳＤＲＡＭ（ＥＳＤＲＡＭ）、Ｓｙｎｃｈｌｉｎｋ  ＤＲＡＭ（ＳＬＤＲＡＭ）、およびダイレクト・ラムバスＲＡＭ（ＤＲＲＡＭ）など多くの形式で利用できる。また、本明細書におけるシステム又は方法の開示されたメモリ構成要素は、限定されることなく、これらおよびその他の適切な種類のメモリを備えることを意図している。
【００８４】
以上の説明は、様々な実施形態の例を含む。当然ながら、実施形態を説明する目的で構成要素又は方法の考えられるすべての組み合わせを説明することはできないが、多くのさらなる組み合わせおよび順列が可能であることが当業者には理解されよう。したがって、この詳細な説明は、添付の特許請求の範囲の趣旨および範囲内に入るすべてのかかる変更形態、修正形態および変形形態を包含することを意図したものである。
【００８５】
特に、上述の構成要素、デバイス、回路、システムなどによって実施される様々な機能に関し、このような構成要素を説明するのに用いた用語（「手段」への言及を含む）は、別途の指定がない限り、説明した構成要素の指定された機能（例：機能的な等価物）を実施するとともに、開示した構造と構造的に等価でないとしても、本明細書で示した実施形態の例示的な態様においてその機能を実施する、どの構成要素にも対応することを意図している。この点に関して、この実施形態は、システムならびに様々な方法の作用および／又はイベントを実施するコンピュータ実行可能命令を有するコンピュータ可読媒体を含むことも理解されよう。
【００８６】
さらに、複数の実施態様のうちのたった１つに関して、特定の特徴が開示されていることもあるが、かかる特徴は、所与の又は特定のどのアプリケーションにとっても望ましく有利であるように、他の実施態様のうちの１つ又は複数の他の特徴と組み合わせることができる。さらに、詳細な説明又は特許請求の範囲のいずれかにおいて「含む（ｉｎｃｌｕｄｅｓ、ｉｎｃｌｕｄｉｎｇ）」という用語およびその変形が使用されている限りでは、そうした用語は、「備える（ｃｏｍｐｒｉｓｉｎｇ）」という用語と同様に包含的であることを意図している。
【図１】
2014239543.tif 000003
【図２】
2014239543.tif 000004
【図３Ａ】
2014239543.tif 000005
【図３Ｂ】
2014239543.tif 000006
【図４】
2014239543.tif 000007
【図５】
2014239543.tif 000008
【図６】
2014239543.tif 000009
【図７】
2014239543.tif 000010
【図８】
2014239543.tif 000011
【図９】
2014239543.tif 000012
【図１０】
2014239543.tif 000013
【図１１】
2014239543.tif 000014